(57)【要約】【解決する課題】製造方法においても、さらに建築物の内壁面に貼設する場合にも、手間と時間をかけずに美しく仕上げることのできる目地付き多孔質内壁タイルを提供する。【課題を解決する手段】調湿性を有する多孔質内壁タイル１の辺縁部の少なくとも一辺２に弾性を有する合成樹脂発泡体３を貼着することにより、美しい目地付き多孔質内壁タイル１００とした。【選択図】  図１
2004225357.tif 000002
【特許請求の範囲】
【請求項１】
多孔質内壁タイルの辺縁部の少なくとも一辺に目地として弾性を有する合成樹脂発泡体を貼着したことを特徴とする目地付き多孔質内壁タイル。
【請求項２】
弾性を有する合成樹脂発泡体がポリエチレン系樹脂発泡体であることを特徴とする請求項１に記載の目地付き多孔質内壁タイル。
【請求項３】
多孔質内壁タイルが変形多孔質内壁タイルであることを特徴とする請求項１または請求項２のいずれかに記載の目地付き多孔質内壁タイル。
【発明の詳細な説明】
【０００１】
【発明の属する技術分野】本発明は、吸水性、調湿性を有する多孔質の建築用内壁材として多用される多孔質内壁材に係わり、より詳しくは、多孔質内壁タイルの辺縁部の少なくとも一辺に目地を貼着した目地付き多孔質内壁タイルに関する。
【０００２】
【従来の技術】近年、住宅の高気密化、高断熱化が進んだ結果、高湿度によるカビ、ダニの発生、冬季の結露の発生、新建材の使用による有機ガスの発生等が問題となっている。この問題を解決するために湿気の吸放出機能のみならず、有機ガスの吸着・分解機能を持つ調湿性のある多孔質内壁タイルが開発されている。多孔質内壁タイルは、微細な孔を多数持つ多孔質材料を原料としているため、室内の湿度が高くなると吸湿し、湿度が下がると放湿して、室内の湿度を調節する調湿機能を有し、カビ、ダニの繁殖を防ぎ、結露を防止する効果を有する他、有機ガスの吸着・分解機能を有していることが判明している。しかし、これらの材料は多孔質のため吸水性が有る場合が多い。このような多孔質内壁タイルの原料は、珪藻土、ゼオライト、多孔質粘土鉱物等が主として使用されている。
【０００３】
通常、焼成タイルは原料の粘土及び石類の粉末を型材に充填してプレスした後、約１１００℃〜１２５０℃の温度で焼成することにより形成される。これに対し、上述の多孔質内壁タイルの製造方法は、原材料を混合成形して、約１０００℃以下の低温で焼成したものや、オートクレーブによる湿式高圧固化法や、原材料を混合、固化して、無焼成で製造する方法等により製造される。このように製造された多孔質壁材は内壁タイルとして使用される。特に、調湿性を有する多孔質内壁タイルは、病院や公共施設の壁タイルとして、又一般家庭のリビング等、床の間、あるいは、トイレ、台所等の壁タイル、天井材として使用することができる。
【０００４】
通常、吸水性をもたない焼成タイル等の壁への貼設にあたっては、粗壁にセメントモルタル等を介したり、合成糊等の接着剤を塗布した上に、タイルを貼り付け、さらにタイルとタイルの目地溝内に湿式の目地セメントで目地を埋めていく作業が行われる。しかし、吸水性のある多孔質内壁タイルは吸水性があるために湿式の目地セメント等が使用できない欠点を有している。このため、吸水性のある多孔質内壁タイルを壁面に貼設するためには、突き合わせ工法をとらざるをえず、美観の上からも問題があり、さらに、貼設のために多くの時間と人手を要するものであった。
【０００５】
タイルに目地を設ける方法は種々の方法が考案されている。例えば、特許文献１においては、タイル本体の外周の一部又は全部に目地部材を配設したことを特徴とする目地付きタイルが開示されている。特許文献１における発明は、目地部材として金属を用いており、目地構造は、タイル本体の端部に傾斜面を形成し、この傾斜面に合う傾斜面を有する断面三角型の目地部材を取り付けたものである。
【０００６】
特許文献２における目地付きタイルは、表層が本体層と異なる色調を有する発泡タイルの辺縁を段状にカットし、該辺縁に本体層の色を表出させた目地付きタイルである。この発明は、表層が本体層とは異なる色調を有する発泡タイルの直行する２つの辺縁をカットして段部を形成したものであり、カットによって、辺縁に本体層の色を表出させたものである。
【０００７】
特許文献３に記載の目地付きタイルは、タイル本体の表面に異なる色彩を有する細幅の目地を塗装若しくは焼き付けにより形成したもの、あるいは、さらにその裏面に桟状の突部を形成したものである。
【０００８】
タイルを壁面に貼設する時の目地詰めや、突き合わせに要する手間を省くために考案された公知の目地付きタイルは、タイルに目地を貼着するに際しては、タイル本体の端部に傾斜面を形成し、この傾斜面に合う傾斜面を有する断面三角型の目地部材を取り付けたり、あるいは、表層が本体層と異なる色調を有する発泡タイルの辺縁を段状にカットする等の方法により目地を設ける方法がとられている。このような公知の目地付きタイルの製造方法においては、目地を設けるために手間と時間がかかり過ぎるという問題点も有していた。
【０００９】
【特許文献１】特開平５−２７２２１８号公報（第２頁段落［００１１］）
【特許文献２】特開平７−２４７１８１号公報（第２頁段落［００１９］）
【特許文献３】特開平９−２３５８５５号公報（第２頁段落［０００７］）
【００１０】
【発明が解決しようとする課題】本発明は、製造方法においても、さらに建築物の内壁面に貼設する場合にも、手間と時間をかけずに美しく仕上げることのできる目地付き多孔質内壁タイルを提供するものである。
【００１１】
【課題を解決するための手段】本発明は、上記課題を解決するために鋭意研究を重ねた結果、吸水性、調湿性を有する多孔質内壁タイルの辺縁部の少なくとも一辺に弾性を有する合成樹脂発泡体を貼着することにより、美しい目地付き多孔質内壁タイルを製造することに成功した。
【００１２】
本発明の第１の特徴は、多孔質内壁タイルの辺縁部の少なくとも一辺に目地として弾性を有する合成樹脂発泡体を貼着したことを特徴とする目地付き多孔質内壁タイルである。予め多孔質内壁タイルの辺縁の少なくとも一辺に弾性を有する合成樹脂発泡体を貼着しておくことによって、壁や天井に多孔質内壁タイルを貼設する場合に、簡単に美しい壁や天井張りができる。多孔質内壁タイルは遮音性、断熱性、吸湿性に優れ、軽量で加工性に富んだ内壁タイルを含み、これに弾性を有する合成樹脂発泡体よりなる目地を貼着することによって、多孔質壁タイルを美しく、手早く貼設できる建材として供給することができる。特に、吸水性、調湿性を有する他、有機性ガスの吸着・分解機能及び調湿機能を有する多孔質内壁タイルは、建築物の内装用として重用されている。このような多孔質内壁タイルの貼設は調湿性を有するために湿式の目地が使用できない。そのために、多くの場合突き合わせ工法により行われるが、突き合わせ工法では突き合わせに時間がかかる上に、多孔質内壁タイルの歪みによって凹凸が生じ、美装性を損ねていた。多孔質内壁タイルの辺縁に弾性を有する合成樹脂発泡体を貼着して、目地付き多孔質内壁タイルとすることによって、多孔質内壁タイルの辺縁に少々の歪みがあっても直線的に美しく貼設することができ、作業時間の短縮と美装性の向上が図れる。
【００１３】
本発明の第２の特徴は、弾性を有する合成樹脂発泡体がポリエチレン系樹脂発泡体であることを特徴とする請求項１に記載の目地付きタイルである。圧縮強度、機械的強度、および断熱性、耐寒性に優れたポリエチレン系発泡体をタイルの辺縁に貼設することによって、タイルの断熱性や耐寒性と相俟って、タイルの凹凸を埋める優れた目地付きタイルを提供できる。
【００１４】
本発明の第３の特徴は、多孔質内壁タイルが変形多孔質内壁タイルであることを特徴とする請求項１または請求項２のいずれかに記載の目地付き多孔質内壁タイルである。長方形、三角形、六角形、八角形等の各種変形多孔質内壁タイルの辺縁部の少なくとも一辺に弾性を有する合成樹脂発泡体の目地を貼着することによって、多孔質内壁タイルの組み合わせが多種多様となり、壁面に美しい図柄を構成することが可能となる。
【００１５】
【発明の実施の形態】本発明の多孔質内壁タイルの辺縁部の少なくとも一辺に弾性を有する合成樹脂発泡体を貼着した目地付き多孔質内壁タイルの製造例を以下に図面に沿って説明するが、本発明の目地付き多孔質内壁タイルは本発明の要旨をこえない範囲において、以下の実施例に限定されるものではない。
【００１６】
目地付き多孔質内壁タイルの本体である多孔質内壁タイルの種類は、特に限定されるものではなく、内壁タイル等に用いられる吸水性、調湿性のある多孔質内壁タイルであればどのように製造されたものであってもよい。
【００１７】
吸水性、調湿性を有する内壁タイルとして使用される多孔質内壁タイルとしては、例えば、アロフェンを含む火山灰土を主原料として、厚さ５〜８ｍｍ、３０３×３０３〜６００×６００ｍｍ角に成形して、約８００度で低温焼成したもの。稚内産珪藻頁岩を原料として、厚さ１０〜１５ｍｍ、２１８×１０４〜２１８×６２ｍｍ角の大きさにプレス成形した後、８５０度で焼成したもの、北海道産珪藻土を厚さ１０ｍｍ、２２５×７５ｍｍ〜１５０×１５０ｍｍ角にプレス成形後、約８００〜８５０度で焼成したものなど、焼成法により得られる多孔質内壁タイルを例示することができる。
【００１８】
さらに、無焼成法により得られる吸水性、調湿性を有する多孔質内壁タイルとしては、例えば、天然ゼオライトとスラグ、セメントを混練し、丸網抄造法により厚さ６〜８ｍｍ、９１０×１８２０ｍｍに成形したもの、天然ゼオライトと白セメントを厚さ１２ｍｍ、６０×２４０ｍｍ又は１５０×１５０ｍｍにプレス成形した後、蒸気養生したもの、又は、珪藻土、ゼオライト、消石灰、黄土、雲母を混練し、厚さ６ｍｍ、３０３×３０３ｍｍにプレス成形後、遠赤外線ヒーターで乾燥後、ＣＯ２養生させたもの、あるいは、トパモライト、シリカを主成分とするＡＬＣ粉末を厚さ８ｍｍ、３０３×３０３ｍｍに加圧成形後、ＣＯ２を充満させた密閉容器中で反応硬化させたもの、粘土、鹿沼土、ガラス粉を混練して厚さ２０ｍｍ、２９２×２９２ｍｍにプレス成形後、オートクレーブで養生、硬化させたもの等が例示できる。
【００１９】
上記のように製造された吸水性、調湿性を有する多孔質内壁タイルは、吸水性、調湿性を有することから、冬季の結露を予防したり、吸湿したりすることからカビやダニの発生の予防をする他、有機ガス、例えば、ホルムアルデヒド等を吸着・分解する機能を有することから、新建材から発生するこのような有機ガスを吸着・分解してアレルギー等の発生を抑制する効果を有している。
【００２０】
目地付き多孔質内壁タイルの辺縁の少なくとも一辺に貼設する合成樹脂発泡体としては、圧縮強度、機械的強度、および断熱性、耐寒性に優れた合成樹脂発泡体が望ましく、例えば、ポリエチレン系樹脂発泡体、スチレン系樹脂発泡体、プラスチック発泡体、ポリオレフィン系樹脂発泡体等が例示できる。
【００２１】
上記弾性を有する合成樹脂発泡体は、所望の厚さの板状の合成樹脂発泡体を予め剥がすことが可能な接着剤を塗布した紙製のシート、又は両面テープ等を貼着したシート等に貼付した後、多孔質内壁タイル等の辺縁の厚さにカットしておくと、多孔質内壁タイル等に貼着する場合、カット片を多孔質内壁タイルの辺縁の長さに裁断して、シートから剥がして多孔質内壁タイル等の辺縁に簡単に貼着することができる。
【００２２】
多孔質内壁タイル等の辺縁に貼着するための合成樹脂発泡体の厚さは、多孔質内壁タイル等の厚さより０．５〜１．０ｍｍ位薄くすると多孔質内壁タイル等を壁面に貼設した時に、美しく仕上げることができる。多孔質内壁タイル等の辺縁に貼着する合成樹脂発泡体は様々な色の合成樹脂発泡体を用いることによって、壁面の模様を変化させて美装性を高めることができる。例えば、様々な色の合成樹脂発泡体の単色でそのまま用いても良く、あるいは色を組み合わせるなどの方法によって、色彩豊かな壁面とすることができる。
【００２３】
上記方法により形成された３０３ｍｍ×３０３ｍｍ、厚さ６ｍｍの多孔質内壁タイルに、厚み約３ｍｍのポリエチレン樹脂発泡体を多孔質内壁タイルの厚さ６ｍｍより薄い厚さ５ｍｍにカットして、図１に示すように白色の多孔質内壁タイルの辺縁に黒色の合成樹脂発泡体を貼着した。図１のＡでは多孔質内壁タイルの一辺に合成樹脂発泡体を貼着した例を示している。図１のＢは多孔質内壁タイルの上下二辺に合成樹脂発泡体を貼着した例を、図１のＣは多孔質内壁タイルの辺縁の隣接する二辺に合成樹脂発泡体を貼着した例を、図１のＤは多孔質内壁タイルの辺縁の三辺に、図１のＥは多孔質内壁タイルの辺縁の四周に合成樹脂発泡体を貼着した例を示している。
【００２４】
図２は変形多孔質内壁タイルの一例として三角形の多孔質内壁タイルの一辺（図１のＦ）、二辺（図１のＧ）、あるいは三辺（図１のＨ）に、多孔質内壁タイルの各辺縁に合成樹脂発泡体を貼着した例を示している。このような変形多孔質内壁タイルは図２に示す三角形に限らず、六角形であっても八角形であってもよく、壁面に図柄を構成できるような形状をした多孔質内壁タイルの辺縁の少なくとも一辺に合成樹脂発泡体を貼着した目地付き多孔質内壁タイルにすることができる。
【００２５】
本発明の目地付き多孔質内壁タイルを壁面等に貼設する場合は、図３に示すように、直接多孔質内壁タイルに接着剤を塗布するか、若しくは貼設する壁面に接着剤を塗布し、目地付き多孔質内壁タイルの目地部分が格子状になるように組み合わせて貼設することができる。本発明の目地付き多孔質内壁タイルを用いることによって、多孔質内壁タイルを突き合わせ工法によって貼設する必要がなく、多孔質内壁タイル貼設の時間が大幅に短縮される。また、多孔質内壁タイルを貼設した壁面の美装性は図４に示すように、直接多孔質内壁タイルに接着剤を塗布するか、若しくは壁面の多孔質内壁タイル貼設部分に接着剤を塗布後、目地付き多孔質内壁タイルの目地部分を縦格子状に組み合わせたり、図５に示すように、目地付き多孔質内壁タイルの目地部分を横格子状に組み合わせたり、さらに、図６に示すように、目地付き多孔質内壁タイルの目地部分を大きな格子状に組み合わせることによって、簡単に図柄を構成することができ、美装性を高める効果を有している。
【００２６】
また、図７に示すように、目地付きの三角形等の変形多孔質内壁タイルを用いて格子状に貼設したり、その他、六角形、八角形等の変形多孔質内壁タイルの組み合わせ、あるいは、目地付き多孔質内壁タイルの目地部分の組み合わせ、目地として用いる合成樹脂発泡体の色を組み合わせる等、壁面等の貼設部位に様々な図柄を容易に作成することができ、目地付き多孔質内壁タイルを用いることによって、簡単に美装性を高めることができる。
【００２７】
【発明の効果】本発明により、多孔質内壁タイルと弾性を有する合成樹脂発泡体とで形成された目地付き多孔質内壁タイルは、壁面への貼設が容易であり、作業性を高める効果を有している。しかも、様々な目地の組み合わせや、色の組み合わせによって目地付き多孔質内壁タイルを壁面に貼設するに際して、壁面に美しい模様を作成することができ美装性を高める効果を有している。
【図面の簡単な説明】
【図１】多孔質内壁タイルの辺縁部に目地を貼着した平面図。
【図２】変形多孔質内壁タイルの辺縁部に目地を貼着した平面図。
【図３】目地付き多孔質内壁タイルを貼設した平面図。
【図４】目地付き多孔質内壁タイルを貼設した平面図。
【図５】目地付き多孔質内壁タイルを貼設した平面図。
【図６】目地付き多孔質内壁タイルを貼設した平面図。
【図７】変形目地付き多孔質内壁タイルを貼設した平面図。
【符号の説明】
１００：目地付き多孔質内壁タイル
２：辺縁部
３：目地
【図１】
2004225357.tif 000003
【図２】
2004225357.tif 000004
【図３】
2004225357.tif 000005
【図４】
2004225357.tif 000006
【図５】
2004225357.tif 000007
【図６】
2004225357.tif 000008
【図７】
2004225357.tif 000009